(57)【要約】      （修正有）【課題】各家庭に水道水を衛生的に蓄えて災害に備えるための小型な貯水タンクを提供する。【解決手段】  商用電源７から制御回路箱１０を通したポンプで貯水タンク１の水を家事の水に使い、水位が下がった貯水タンク１に水用電磁弁４と水位センサー８を使い水位をコントロールし水位を保ち、この貯水タンク１のなかの水を繰り返し循環することで衛生的に水量を保持し、災害時にこの貯水タンクの水を使うことができる、水位センサー付き貯水タンク。【選択図】図２
0003127902.tif 000002
【実用新案登録請求の範囲】
【請求項１】
水道の蛇口から水用電磁弁を通したホースを貯水タンクの蓋の穴を開けた所に入れ、その貯水タンクに水位センサーを吸盤で貼り付け蓋の穴から配線を出して置き、この貯水タンクにポンプを入れ、その蓋にもう一つ穴を開けた所からポンプの配線とホースを出して置く、蓋の両穴のホースと配線はゴムパッキングとナットで締めて防水にでき又この両穴に小蓋を設けて、図１の制御回路箱に水位センサーの配線とポンプの配線を接続して、その制御回路箱にポンプと電源のスイッチを設け、これらの電源は商用電源に接続して使う。貯水タンクの水をポンプで排出し、水位が上がり下がりを水位センサーと水用電磁弁でコントロールして貯水タンクの水を保持する、特徴の水位センサー付き貯水タンク。
【考案の詳細な説明】
【技術分野】
【０００１】  本考案は、地震災害などになる前に水道水を飲み水として蓄えるための、貯水タンクに関する。
【背景技術】
【０００２】  従来、災害用の白いポリタンクに水を数ヶ月放置して溜めておくと、青子が発生し飲料水として衛生的に不適切で飲めない欠点があった。
従来の似た製品は、水用電磁弁を利用して水道水をタンクに入れる物は、大型な物で、ビルの屋上に備えた貯水タンクなど他にあるが、大型では災害時に公共機関の給水車又は、井戸から給水を受けるときに大型では持ち運べない欠点がある。
小型な物が対象となるが、ポリタンクにポンプとポールタップを利用した、（特許文献１）があるが方式が違う物であった。
【特許文献１】  実用新案登録第３１１８１０５号
【考案の開示】
【考案が解決しようとする課題】
【０００３】  本考案は、以上のような従来の欠点に鑑みて、人口の多い都市密集地で大地震など災害が発生した場合、免震耐震でマンション又は各家々が倒壊をまぬがれても、道路水道が遮断されてなかなか救援物資が届かないことが起こりうる、その中で災害時に水はいくらあっても足りないと云われている、そこで各家庭に水道水を衛生的に蓄えて災害に備えるための小型な貯水クンクを提供することを目的としている。
【課題を解決するための手段】
【０００４】  上記目的を達成するために、本考案は災害が発生する前に、貯水タンクからポンプで溜めている水を風呂水、洗濯水、炊事の水に使い、その貯水タンクに水道水を水用電磁弁と水位センサーで水位の上がり下がりをコントロールし、循環することによって水量に青子の発生と水の腐食を防ぎ衛生的に保ち、貯水タンクに溜めて置く、災害時にこのタンクの水を飲料水としても使うことができる。水道水を水用電磁弁によって自動的にタンクの水が交換され水量を保たれる装置の部分を重視した構成している。
【考案の効果】
【０００５】  貯水タンクの水をポンプで風呂水に洗濯水と炊事の水などに排出すると、タンクの水位が下がり、水センサーが検知し水道の蛇口から貯水タンクの間に設置した水用電磁弁が開けてタンクに水道水が入り、水位が上昇するとセンサーが検知し電磁弁が閉まり水道水も止まる、この繰り返しによってタンクの中の水は流動され、水は青子も出ず水の腐食も防ぎ災害時に使用される。
断熱材を使用することによって夏場の温度差などで水の腐食を防げる。
本体の蓋の両穴に小蓋を設けることで、災害発生後水用電磁弁とポンプを取り外し、本体の蓋に小蓋して給水を受けることができ。
長年タンクを使い、水垢で汚れた場合に商用電源のコンセットを抜き、蓋を開けて洗浄し衛生的に保たれるようにした。
この装置を使い、どのようなタンクの形状でも水の制御ができる。
災害時に給水車又は井戸水から給水を受けるときに小型な貯水タンクを運ぶときに重くなるためシッョピングカーを設けた。
【考案を実施するための最良の形態】
【０００６】  クーラーボックスのような断熱材で本体の貯水タンク１の蓋に二つの穴を開け、その一つは水道２から水用電磁弁４でホース３を繋いだ、そのホース３と水位センサー８の配線９を蓋の穴に通し、本体の貯水タンク１に水位センサー８を設置するために取り外し自在の吸盤などで付ける、二つの蓋の穴は、本体の貯水タンク１の中からポンプ６と配線９を蓋の穴から出し、この蓋の両穴のホース３と配線９を通したところにパッキングとナット５で締めて防水して、その両穴に小蓋を設けた、ポンプ６に水位センサー８と水用電磁弁４の配線９を、図１の制御される回路を箱１０で包んだ所定の所に接続し、この制御回路箱ぬわにポンプ６と電源７のスイッチを設けて、これらの電源を商用電源７から使うようにした構成である。
【実施例】
【０００７】  商用電源７のコンセットを差し込み制御回路箱１０の所の電源のスイッチをＯＮにして、水道２の蛇口を開け本体の貯水タンク１に満水にして置く、制御回路箱１０のポンプ６のスイッチをＯＮにして、このポンプ６でその本体の貯水タンク１の水を排出して、水位が下がると下の水位センサー８が検知し水用電磁弁４が開き水道水が本体の貯水タンク１に入り、水位が上昇すると上の水位センサー８が検知し、水道水２が水用電磁弁４を通て満水状態で止まる、この貯水タンク１の水をポンプ６で風呂水１１、洗濯水１２、炊事の水１３などに使い、その貯水タンク１の水を繰り返し循環される。
【図面の簡単な説明】
【０００８】
【図１】  本考案を実施するための原理工程図。
【図２】  本考案を実施するための本体の断熱材を使うタンクの断面図。
【図３】  本考案を実施するための使用設置図。
【符号の説明】
【０００９】  １、本体の貯水タンク
２、水道
３、ホース
４、水用電磁弁とカバー
５、パッキングとナット
６、ポンプ
７、商用電源
８、水位センサー
９、配線
１０、制御回路箱
１１、風呂水
１２、洗濯水
１３，炊事の水
１４，小蓋
【図１】
0003127902.tif 000003
【図２】
0003127902.tif 000004
【図３】
0003127902.tif 000005
【手続補正書】
【提出日】平成18年5月19日(2006.5.19)
【手続補正１】
【補正対象書類名】実用新案登録請求の範囲
【補正対象項目名】全文
【補正方法】変更
【補正の内容】
【実用新案登録請求の範囲】
【請求項１】
水道の蛇口から水用電磁弁を通したホースを貯水タンクの蓋に穴を開けた所に入れ、その貯水タンクに水位センサーを吸盤で貼り付け蓋の穴から配線を出し、その蓋にもう一つの穴を開けた所から貯水タンクに入れたポンプの配線とホースを出して置き、蓋の両穴のホースと配線はゴムパッキングとナットで締めて防水にできこの両穴を塞ぐ小蓋を設けて、制御回路箱に水位センサーの配線とポンプの配線を接続して、その制御回路箱にポンプのスイッチを設け、これらの電源は商用電源に接続し、貯水タンクの水をポンプで排出し、その水位の上がり下がりを水位センサーと水用電磁弁でコントロールし貯水タンクの水を保持する特徴の水位センサー付き貯水タンク。
【手続補正２】
【補正対象書類名】明細書
【補正対象項目名】全文
【補正方法】変更
【補正の内容】
【考案の詳細な説明】
【技術分野】
【０００１】  本考案は、地震災害などになる前に水道水を飲み水として蓄えるための、貯水タンクに関する。
【背景技術】
【０００２】  従来、災害用の白いポリタンクに水を数ヶ月放置して溜めておくと、青子が発生し飲料水として衛生的に不適切で飲めない欠点があった。
従来の似た製品は、水用電磁弁を利用して水道水をタンクに入れる物は、大型な物で、ビルの屋上に備えた貯水タンクなど他にあるが、大型では災害時に公共機関の給水車又は、井戸から給水を受けるときに大型では持ち運べない欠点がある。
（特許文献１）小型な物が対象となる、ポリタンクにポンプとポールタップを利用した物があるが、方式が違う物であっる。（非特許文献１）家庭用の洗濯機への給水ポンプがある水位センサーを使ってあるが、希望水位になると自動的にＯＦＦなり給水が停止しブザーが鳴る物であるが、希望水位が上昇した場合であって、ポンプを使い水位が下がりＯＮになる水位を上昇するシステムがない。又洗濯機であって貯水タンクではない。
【特許文献１】  実用新案登録第３１１８１０５号
【非特許文献１】  洗濯機への給水ポンプ、家庭用、取扱説明書。（株式会社、工進）
【考案の開示】
【考案が解決しようとする課題】
【０００３】  本考案は、以上のような従来の欠点に鑑みて、人口の多い都市密集地で大地震など災害が発生した場合、免震耐震でマンション又は各家々が倒壊をまぬがれても、道路水道が遮断されてなかなか救援物資が届かないことが起こりうる、その中で災害時に水はいくらあっても足りないと云われている、そこで水道水を貯水タンクの中に入れ替えて衛生的に蓄えて使い、災害に備えるための小型な貯水タンクを提供することを目的としている。
【課題を解決するための手段】
【０００４】  上記目的を達成するために、本考案は災害が発生する前に、水道水を貯水タンクに溜めてポンプで風呂水、洗濯水、炊事の水に使い、その貯水タンクの水位の上がり下がりを水位センサーと水用電磁弁でコントロールし、青子の発生と水の腐食を防ぎ衛生的に保ち、貯水タンクに溜めて置き、災害時にこの貯水タンクの水を飲料水としても使うことができる、ポンプで使い貯水タンクの水位を水位センサーと水用電磁弁によって、自動的に交換され水量を保たれる装置の部分を重視した構成である。
【考案の効果】
【０００５】  貯水タンクの水に浄水される物を入れ、ポンプで風呂水に洗濯水と炊事の水などに排出するとで水位が下がり、水位センサーがＯＮに検知し水道の蛇口から水用電磁弁が開きタンクに水道水が入る、水位が上昇するとセンサーがＯＦＦに検知し水用電磁弁が閉まり水道水も止まる。ポンプに水位センサーと水用電磁弁で連動し開閉する繰り返しで、タンクの中の水を保持し流動化し水は青子も出ず水の腐食も防ぎ災害時に使用される。
断熱材を使用することによって夏場の温度差などで水の腐食を防げる。
本体の蓋の両穴に小蓋を設けることで、災害発生後水用電磁弁とポンプを取り外し、本体の蓋に小蓋して給水を受けることができ。
長年タンクを使い、水垢で汚れた場合に商用電源のコンセットを抜き、蓋を開けて洗浄し衛生的に保たれるようにした。
これらの制御装置を使い、どのようなタンクの形状でも水の制御ができる。
災害時に給水車又は井戸水から給水を受けるときに小型な貯水タンクを運ぶときに重くなるためシッョピングカーを設けた。
【考案を実施するための最良の形態】
【０００６】  図１の制御回路の箱１０は、商用電源７から安定化電源よりポンプ６と水位センサー８に分かれ、水位センサー８よりフリップフロップに通し、リレーでＯＮＯＦＦする事で接続されている水用電磁弁４は、水道２と関連して水道水を開閉する装置で、その分かれた部分のポンプ６は、スイッチを設けたポンプで制御全体図である、［設置例］クーラーボックスのような断熱材に覆われた本体の貯水タンク１に浄水される物を入れ、貯水タンク１に水位センサー８水位センサーの検知装置が上下にあり、これを固設するために取り外し自在の吸盤などで付け、水道２から水用電磁弁４でホース３で繋ぎ貯水タンク１の蓋の穴に通しパッキングとナット５で閉めて防水にし、水位センサー８の配線９を制御回路箱１０に接続する。二つ目の蓋の穴は、本体の貯水タンク１の蓋の穴からポンプ６の配線とホース３をパッキングとナット５で閉めて防水し、ポンプ６の配線９は安定化電源の所に接続し、この貯水タンク１の蓋の両穴を塞ぐ小蓋を設けた構成である。
【実施例】
【０００７】  水道２の蛇口を開け制御回路箱１０の電源のスイッチをＯＮにし本体の貯水タンク１に満水になり止まる、ポンプ６のスイッチをＯＮにして、貯水タンク１の吸い上て風呂水１１，洗濯水１２，炊事の水１３などに使い、その貯水タンクの水位が下がると下の水位センサー８がＯＮに検知し水用電磁弁４が開き水道水が本体の貯水タンク１に入る、水位が上昇すると上の水位センサー８がＯＦＦに検知し水用電磁弁４が満水状態で止まる、この繰り返しにより貯水タンク１の水を出し入れする装置。
【図面の簡単な説明】
【０００８】
【図１】  本考案を実施するための原理工程図。
【図２】  本考案を実施するための本体の断熱材を使うタンクの断面図。
【図３】  本考案を実施するための使用設置図。
【符号の説明】
【０００９】  １、本体の貯水タンク
２、水道
３、ホース
４、水用電磁弁とカバー
５、パッキングとナット
６、ポンプ
７、商用電源
８、水位センサー
９、配線
１０、制御回路箱
１１、風呂水
１２、洗濯水
１３，炊事の水
１４，小蓋